(57)【要約】【課題】検出安定性を向上させる帯電防止リストストラップ及び接地検出装置を提供する。【解決手段】本発明の改良された帯電防止リストストラップ及び接地検出装置は、作業員の手が極度に乾燥することによるエラーを回避する。前記帯電防止リストストラップの２本の導線の間には抵抗値がＲである抵抗器が設置され、これにより前記帯電防止リストストラップの抵抗値を検出する際にフォールトトレランスが確保される。同様に、前記接地検出装置において、帯電防止リストストラップに対する検出回路の間に抵抗値がＲである抵抗器が並列接続され、フォールトトレランスが確保される。前記帯電防止リストストラップまたは前記接地検出装置によりエラー率を効果的に低下させる。静電気からの保護を更に高めるため、前記接地検出装置は給電インタフェース及び電気制御スイッチを更に備える。漏洩回路が適切な抵抗値を有する場合のみ前記電気制御スイッチにより前記給電インタフェースが関連設備に対する給電を行う。【選択図】図２ａ
2018186081.tif 000002
【特許請求の範囲】
【請求項１】
２本の導線及びプラグを備え、前記２本の導線の一端は着用者の皮膚の２箇所にそれぞれ接触され、他端は前記プラグに接続される帯電防止リストストラップであって、
抵抗器を更に備え、前記抵抗器の両端は前記２本の導線にそれぞれ接続されることにより皮膚の２箇所に並列接続されることを特徴とする帯電防止リストストラップ。
【請求項２】
前記抵抗器は前記プラグに内設されることを特徴とする請求項１に記載の帯電防止リストストラップ。
【請求項３】
帯電防止リストストラップ及びグラウンドに接続され、前記帯電防止リストストラップと前記グラウンドとの間に設置されることにより共に静電漏洩回路を構成し、且つ帯電防止リストストラップインターフェイス、電源及び処理回路を更に備え、前記プラグは前記帯電防止リストストラップインターフェイスに接続され、前記電源及び処理回路が前記静電漏洩回路に直列接続されることにより前記静電漏洩回路の抵抗値を検出する接地検出装置であって、
前記接地検出装置に内設されると共に前記静電漏洩回路に並列接続される抵抗器を更に含むことを特徴とする接地検出装置。
【請求項４】
前記抵抗器は前記帯電防止リストストラップインターフェースと前記電源及び処理回路との間に位置することを特徴とする請求項３に記載の接地検出装置。
【請求項５】
前記抵抗器は前記帯電防止リストストラップインターフェースに設置されることを特徴とする請求項４に記載の接地検出装置。
【請求項６】
前記抵抗器は前記電源及び処理回路とグラウンドとの間に位置することを特徴とする請求項３に記載の接地検出装置。
【請求項７】
前記抵抗器の抵抗値は３５ＭΩ以上であることを特徴とする請求項１に記載の帯電防止リストストラップまたは請求項３に記載の接地検出装置。
【請求項８】
前記抵抗器の抵抗値は１００ＭΩ以下であることを特徴とする請求項７に記載の帯電防止リストストラップまたは接地検出装置。
【請求項９】
給電インタフェース及び電気制御スイッチを更に備え、前記給電インタフェースは商用電源に接続されると共に関連設備の電源の接続に用いられ、前記電気制御スイッチは前記給電インタフェースのそれぞれと商用電源との間に直列接続され、前記電気制御スイッチは前記電源及び処理回路に接続され、前記電源及び処理回路の警告のトリガまたは停止に関連する電気信号の駆動を受けることにより、給電インタフェースと商用電源との接続を導通または切断することを特徴とする請求項３に記載の接地検出装置。
【請求項１０】
請求項１に記載の帯電防止リストストラップと組み合わせて使用され、前記帯電防止リストストラップ及びグラウンドに接続され、前記帯電防止リストストラップと前記グラウンドとの間に設置されることにより共に静電漏洩回路を構成し、且つ帯電防止リストストラップインターフェイス、電源及び処理回路を備え、前記プラグは前記帯電防止リストストラップインターフェイスに接続され、電源及び処理回路は前記静電漏洩回路に直列接続されることにより前記静電漏洩回路の抵抗値を検出する接地検出装置であって、
給電インタフェース及び電気制御スイッチを更に含み、前記給電インタフェースは商用電源に接続されると共に関連設備の電源の接続に用いられ、前記電気制御スイッチは前記給電インタフェースのそれぞれと商用電源との間に直列接続され、前記電気制御スイッチは前記電源及び処理回路に接続され、前記電源及び処理回路の警告のトリガまたは停止に関連する電気信号の駆動を受けることにより、給電インタフェースと商用電源との接続を導通または切断することを特徴とする接地検出装置。 
【発明の詳細な説明】
【技術分野】
【０００１】
本発明は、接地検出の分野に関し、特に、作業員の皮膚の乾燥によるエラーを回避する帯電防止リストストラップ、及び接地検出装置に関する。
【背景技術】
【０００２】
電子製品の小型化及び薄型化、電子素子の更なる精密化に伴い、製造過程での静電気からの保護が極めて重要になっている。
【０００３】
一般的には、製造ラインには多くの作業場がある。静電気による損害を作業場で用いられる設備、器具、或いは製造中の製品に影響しないようにするため、作業場の作業員は帯電防止用の帯電防止リストストラップ（wrist strap）を着用することが求められているほか、床には帯電防止用のフロアマット（floor mat）が敷設され、作業場のデスク上にも帯電防止用のテーブルマット（table mat）が敷設されている。例えば、図１ａに示すように、作業場のフロアマット１０、テーブルマット２０、帯電防止リストストラップ３０の何れもケーブルにより作業場の共通グラウンド（common point ground）４０に接続されることにより、各々または共に静電漏洩回路を構成している。共通グラウンド４０は作業場の好適な位置に定置される金属片或いは金属導線であり、絶縁カバーにより外ケースが保護されている（図１ａには帯電防止リストストラップ３０と共通グラウンド４０との間の接続しか示されていない）。一般的には、製造ラインの各作業場の共通グラウンド４０は直列接続または並列接続され、最終的には工場の設備グラウンド（equipment ground）またはアースグラウンド（earth ground）に接続される（図示せず）。
【０００４】
作業員が作業場を離れる場合（例えば、トイレや食事等）、作業場に戻ると帯電防止リストストラップ３０を共通グラウンド４０に再度接続させる又は帯電防止リストストラップ３０を再度着用しなければならない。例えば、特許文献１及び２では、無線エネルギーの伝送と感知（例えば、赤外線）を用いた無線地上検出装置が開示されている。前記装置は、作業場に作業員の存在を確認すると、前記帯電防止リストストラップの漏洩回路が適切な抵抗値を有しているか否かを更に検出することで、作業員が帯電防止リストストラップ３０を共通グラウンド４０に再度接続させたか否か、又は帯電防止リストストラップ３０を着用しているか否かを判断する。
【先行技術文献】
【特許文献】
【０００５】
【特許文献１】台湾特許第I349778号
【０００６】
【特許文献２】台湾特許第I368746号
【発明の概要】
【発明が解決しようとする課題】
【０００７】
前述の特許文献に開示された接地検出装置１００を簡略化して図１ｂに示す。前記接地検出装置１００は電気ケーブル（power cable）または外部電源供給器（例えば、ノートパソコンのユーザー）を介して商用電源に接続され、電源及び処理回路３００に必要な電力が取得される以外、同時に商用電源グラウンド６０も取得される（図１ｂには商用電源グラウンド６０しか示されていない）。なた、前記接地検出装置１００は工場の設備グラウンド又はアースグラウンド（以下、「アースグラウンド」と総称する）５０に接続される（前述の共通グラウンド４０により達成される）。前記接地検出装置１００は帯電防止リストストラップインターフェイス１１０を介して帯電防止リストストラップ３０のケーブル内の２本の導線３１、３２に接続される。例えば、図１ｃに示すように、導線３１、３２の一端は帯電防止リストストラップ３０に内設される２枚の導電性シート３３にそれぞれ接続される。帯電防止リストストラップ３０は締緩可能またはロック可能な絶縁ベルトを有し、導電性シート３３は絶縁ベルトの内側に設置されることにより腕の皮膚７０に接触される。
【０００８】
導線３１の他端は接地検出装置１００によりアースグラウンド５０に接続され、導線３２の他端は電源及び処理回路３００により商用電源グラウンド６０に接続される。これにより、図１ｂに破線で示すように、作業員が帯電防止リストストラップ３０を正常に着用すると、商用電源グラウンド６０から、アース、アースグラウンド５０、導線３１、作業員の皮膚７０、導線３２を経て、更に電源及び処理回路３００を経由するように漏洩回路が構成される。電源及び処理回路３００の主要な機能の１つは前記漏洩回路が適切な抵抗値を有するか否かを検出することである（そうでない場合、警告を発する）。静電気管理標準ＡＮＳＩ／ＥＳＤ  Ｓ２０．２０-２０１４に基づくと、帯電防止リストストラップの漏洩回路の抵抗値は３５ＭΩより小さい。
【０００９】
以上に開示された内容が実際に製造ラインに応用された場合、実効的ではあるが、作業員が帯電防止リストストラップを正確に着用していても、皮膚が乾燥しすぎて漏洩回路の抵抗が高くなることによる接地検出装置のエラーが発生することがよく発生する。また、警告を発することだけでは保護効果が不十分であり、静電気からの保護を如何に向上させるかについては改善の余地があった。
【００１０】
本発明はこうした状況に鑑みてなされたものであり、その目的は、新規の帯電防止リストストラップ及び改良された接地検出装置を提供することにある。これにより、検出の安定性を向上させ、作業員の腕が乾燥しすぎることによるエラーの発生を回避することが可能である。
【００１１】
本発明の精神は、並列回路の原理を巧妙に利用することによりフォールトトレランスを確保することである。
【課題を解決するための手段】
【００１２】
上記課題を解決するために、本発明の帯電防止リストストラップは、帯電防止リストストラップの２本の導線の間に抵抗値がＲである抵抗器が設置される。従来の検出では、帯電防止リストストラップの着用者の皮膚の抵抗値が閾値Ｔより小さいことが求められる。本発明に係る帯電防止リストストラップには、前記抵抗器が設置された後、帯電防止リストストラップの着用者の皮膚の抵抗値が（Ｔ・Ｒ）/（Ｒ−Ｔ）より小さいであればよく、前記抵抗器が並列接続された後、同様に前記閾値Ｔより小さいことが可能である。すなわち、本発明に係る帯電防止リストストラップはＴ〜（Ｔ・Ｒ）/（Ｒ−Ｔ）のフォールトトレランスを確保することにより、エラー率を効果的に低下させ、検出の信頼性を更に向上させる。本発明に係る帯電防止リストストラップは、従来の接地検出装置と組み合わせて使用することが可能である。
【００１３】
また、本発明の接地検出装置は、帯電防止リストストラップに対する検出回路の間には抵抗値がＲである抵抗器が並列接続されることから、同様に前記フォールトトレランスを確保することができるので、エラー率を効果的に低下させ、検出の信頼性を更に向上させる。本発明に係る接地検出装置は、従来の帯電防止リストストラップと組み合わせて使用することが可能である。
【００１４】
静電気からの保護を更に高めるため、本発明に係る接地検出装置は給電インタフェース及び電気制御スイッチを更に備える。前記給電インタフェースは作業場の関連設備の接続に用いられると共に関連設備に必要な電力を供給する。前記接地検出装置は漏洩回路が適切な抵抗値を有する場合のみ前記電気制御スイッチにより前記給電インタフェースが作業場の関連設備に対する給電を行う。換言すれば、前記接地検出装置は漏洩回路が異常な抵抗値を有することを検出した場合、作業場の関連設備が電力を失って運転不能となり、これにより静電気による損害が回避される。
【図面の簡単な説明】
【００１５】
【図１ａ】従来の作業場の接地構造図である。
【図１ｂ】従来の帯電防止リストストラップ及び接地検出装置を示す模式図である。
【図１ｃ】従来の帯電防止リストストラップを示す模式図である。
【図２ａ】本発明の一実施形態に係る帯電防止リストストラップを示す模式図である。
【図２ｂ】図２ａに示す帯電防止リストストラップの等価回路図である。
【図３ａ】本発明の第１実施形態に係る接地検出装置を示す模式図である。
【図３ｂ】本発明の第２実施形態に係る接地検出装置を示す模式図である。
【図３ｃ】本発明の第３実施形態に係る接地検出装置を示す模式図である。
【発明を実施するための形態】
【００１６】
以下、図面を参照しつつ、本発明に係る帯電防止リストストラップ及び接地検出装置について具体的に説明する。尚、以下に説明する実施の形態は、特許請求の範囲に記載された本発明の内容を限定するものではない。また、以下に説明される構成の全てが、本発明の必須要件であるとは限らない。
【００１７】
図２ａは本発明の一実施形態に係る帯電防止リストストラップを示す模式図である。図２ａに示すように、前記帯電防止リストストラップ２００は２枚の導電性シート２０３と、前記２枚の導電性シート２０３にそれぞれ接続される２本の導線２０１、２０２と、前記２本の導線２０１、２０２の他端に接続されるプラグ２０４とを備える。前記２枚の導電性シート２０３は一般的に絶縁ベルト（図示せず）の内側に設置される。作業員は前記絶縁ベルトを腕に巻き付け、前記絶縁ベルトの締緩またはロック構造により前記２枚の導電性シート２０３を作業員の腕の皮膚に貼り付ける。前記２本の導線２０１及び２０２は一般的に絶縁スリーブ（sleeve）（図示せず）に被覆される。前記２本の導線２０１、２０２と前記２枚の導電性シート２０３との間は固着されてもよく、又はボタン等で分離可能に接続される。前記プラグ２０４は接地検出装置に接続されることにより漏洩回路を構成する。本実施形態では、前記プラグ２０４としてはオーディオ装置によく見られる所謂ＴＳ（tip and sleeve）端子が採用されることから、前記導線２０１は前記プラグ２０４のスリーブ（sleeve）の部分に接続され、前記導線２０２は前記プラグ２０４の端（tip）の部分に接続される。換言すれば、前記２本の導線２０１、２０２の一端は着用者の皮膚の２箇所にそれぞれ接触されるために用いられ、他端は接地検出装置に接続されるために用いられる。一般的には、導線２０１、２０２には８００Ｋ〜１．２ＭΩの抵抗器がそれぞれ設置される。理解を容易にするため、前記２つの抵抗器は図２ａ中に図示せず、以下でも前記２つの抵抗器についての説明は省略する。以上の説明は従来の帯電防止リストストラップによく見られるものであることから、詳述は省略する。
【００１８】
前記帯電防止リストストラップ２００は前記２本の導線２０１、２０２の間に抵抗器２０５が更に直列接続される。図２ａに示すように、本実施形態では、前記抵抗器２０５が前記プラグ２０４に内設される。しかし、本発明はこれに限定されることはなく、前記抵抗器２０５が前記２本の導線２０１、２０２の間に設置され、前記２枚の導電性シート２０３と前記プラグ２０４との間の適切な位置に位置してもよい。
【００１９】
図２ｂは図２ａに示す帯電防止リストストラップの等価回路図である。図２ｂに示すように、抵抗値Ｒは前記抵抗器２０５の抵抗値であり、抵抗値Ｘは前記２枚の導電性シート２０３の間の抵抗値である。抵抗器の並列接続の公式に基づくと、前記帯電防止リストストラップ２００の等価抵抗、すなわち、前記プラグ２０４の２つの接点の間から見られる場合の抵抗値が （Ｘ・Ｒ）/（Ｘ＋Ｒ）である。作業員が前記帯電防止リストストラップ２００を着用していない場合、前記２枚の導電性シート２０３の間の抵抗値Ｘは∞に近付き、前記帯電防止リストストラップ２００の等価抵抗がＲとなる。前記２枚の導電性シート２０３の間がショートした場合、前記２枚の導電性シート２０３の間の抵抗値Ｘが０に近付き、前記帯電防止リストストラップ２００の等価抵抗も０に近付く。このため、作業員が前記帯電防止リストストラップ２００を着用する場合、前記帯電防止リストストラップ２００の等価抵抗値が０〜Ｒの間の範囲に収まる。
【００２０】
静電気管理標準ANSI/ESD S20.20-2014に基づくと、帯電防止リストストラップ２００を正確に着用した場合の抵抗値は３５ＭΩより小さい。このため、従来の接地検出装置は３５ＭΩを閾値とすることが多く、検出された帯電防止リストストラップ２００の抵抗値が３５ＭΩを超える場合、帯電防止リストストラップ２００が未着用であると見做されて警告が発せられるが、作業員の皮膚の乾燥等の原因により前記２枚の導電性シート２０３の間の抵抗値Ｘが大きくなりすぎるとエラーが容易に引き起こされる。本発明のように、前記抵抗器２０５が設置され、且つ前記抵抗器２０５の抵抗値は５０Ｍを例とすると、作業員の皮膚の乾燥等の原因により前記２枚の導電性シート２０３の間の抵抗値Ｘが１００Ｍまで達しても、前記帯電防止リストストラップ２００の等価抵抗値が（１００・５０）/（１００＋５０）＝３３.３３ＭΩとなり、これは標準の３５ＭΩより低いため、エラーを引き起こすことがない。
【００２１】
Ｔを前記閾値とする場合、従来の帯電防止リストストラップにおいて、作業員の皮膚の抵抗値がＴより小さいことが求められる（すなわち、Ｘ≦Ｔ）。しかし、前記抵抗器２０５が設置されることにより、作業員の皮膚の抵抗値Ｘが（Ｔ・Ｒ）/（Ｒ−Ｔ）より小さくなるだけで同様に閾値Ｔに符合する（（Ｘ・Ｒ）/（Ｘ＋Ｒ）≦ＴからＸ≦（Ｔ・Ｒ）/（Ｒ−Ｔ）が導き出される）。換言すれば、前記抵抗器２０５の設置によりＴ〜（Ｔ・Ｒ）/（Ｒ−Ｔ）のフォールトトレランスが確保される。同様に、Ｔ＝３５ＭΩ、Ｒ＝５０ＭΩを例にすると、従来の帯電防止リストストラップにおいて、作業員の皮膚の抵抗値Ｘが３５ＭΩより小さいことが求められるが、前記抵抗器２０５が設置された後、作業員の皮膚の抵抗値Ｘが（３５・５０）/（５０−３５）≒１１７ＭΩより小さくなるだけで３５ＭΩ〜１１７ＭΩのフォールトトレランスが確保される。
【００２２】
このように、適切な抵抗値Ｒを選択することにより、本発明に係る帯電防止リストストラップは、作業員の皮膚の乾燥によるエラーを有効的に回避することが可能である。前記抵抗値Ｒは３５ＭΩ（標準で要求される抵抗値）以上とすべきである。一実施形態では、前記抵抗値Ｒとして３５ＭΩ（含む）と１００ＭΩ（含む）との間の範囲になる抵抗器が採用される。他の実施形態では、前記抵抗値Ｒとして５０ＭΩが採用される。
【００２３】
上述したように、本発明に係る帯電防止リストストラップは従来の回路における並列接続の原理が応用され、作業員の皮膚の乾燥を許容するフォールトトレランスが確保される。本発明に係る帯電防止リストストラップは一般的な従来の接地検出装置と組み合わせて使用可能であるため、前記接地検出装置に対する変更を加える必要がない。
【００２４】
図３ａは本発明の第１実施形態に係る接地検出装置５００を示す模式図である。図３ｂは本発明の第２実施形態に係る接地検出装置５０１を示す模式図である。前記接地検出装置５００、５０１は帯電防止リストストラップインターフェース１１０を介して従来の帯電防止リストストラップ３０に接続される。図１ｂの従来の接地検出装置を参照すると、本発明に係る接地検出装置５００、５０１と従来の接地検出装置１００との差異は、前者の内部の静電漏洩回路（破線で示す）に抵抗器５０２、５０３が並列接続される点のみにあることが明確に理解できる。従来の接地検出装置１００と同じ部材には同じ符号を採用し、詳細な説明は省略する。
【００２５】
図３ａに示すように、前記抵抗器５０２は接地検出装置５００の内部の静電漏洩回路に並列接続され、前記帯電防止リストストラップインターフェース１１０と前記電源及び処理回路３００との間に位置する。他の実施形態では（図示せず）、前記抵抗器５０２は前記帯電防止リストストラップインターフェース１１０における前記帯電防止リストストラップ３０の２本の導線３１、３２の間に設置される。
【００２６】
なお、図３ｂに示すように、前記抵抗器５０３は接地検出装置５０１の内部の静電漏洩回路に並列接続され、前記電源及び処理回路３００とアースグラウンド５０、商用電源グラウンド６０との間に位置する。
【００２７】
前記抵抗器５０２、５０３の設置位置は上述の２つの実施形態に限定されることがない。上述したように、前記接地検出装置５００内で前記静電漏洩回路に並列接続されるものであればよい。前記２つの実施形態のメリットは、接地検出装置５００、５０１は従来の接地検出装置１００に対してを簡単に変更すれば完成できるものであるとの点である。基本的に、前記電源及び処理回路３００に対するハードウェアの変更が一切必要ない。
【００２８】
図３ａ、図３ｂに示す２つの実施形態によると、前記電源及び処理回路３００から見る場合の静電漏洩回路の等価回路は図２ｂに示すようである。抵抗値Ｒは前記抵抗器５０２、５０３の抵抗値であり、抵抗値Ｘは前記帯電防止リストストラップ３０の等価抵抗値である。よって、Ｔが検出の閾値である場合、前記抵抗器５０２、５０３が設置されることにより、作業員の皮膚の抵抗値Ｘが（Ｔ・Ｒ）/（Ｒ−Ｔ）より小さければ同様に閾値Ｔに符合し、これによりＴ〜（Ｔ・Ｒ）/（Ｒ−Ｔ）のフォールトトレランスが確保される。
【００２９】
一般的には、従来の接地検出装置１００は警告機能のみを有するが、その理由の１つはエラーの発生率が高かったためである。本発明に係る帯電防止リストストラップ、及び接地検出装置はエラー率が効果的に低減されるため、能動的な静電気保護機能を提供する。図３ｃは本発明の第３実施形態に係る接地検出装置５０４を示す模式図である。図３ｃに示すように、前記接地検出装置５０４は第１実施形態を改良したものである。第１実施形態と同じ部材には同じ符号を採用し、その詳細な説明は省略する。
【００３０】
前記接地検出装置５０４は少なくとも１つの給電インタフェース６０１及び電気制御スイッチ６０２を更に備える。本実施形態では、各前記給電インタフェース６０１は電気ケーブルを介して作業場の関連設備の電源と接続される電源ソケットである。上述したように、前記接地検出装置５０４は電気ケーブルまたは外部電源供給器（図示せず）を介して商用電源に接続され、電源及び処理回路３００に必要な電力を取得する以外、同時に商用電源接地６０も取得する。前記給電インタフェース６０１は何れも前記電気ケーブル或いは外部電源供給器に接続されて商用電源を取得する。前記電気制御スイッチ６０２は継電器（relay）、トライアック（TRIAC）等であり、各前記給電インタフェース６０１と商用電源との間に直列接続される。また、前記電気制御スイッチ６０２は前記電源及び処理回路３００に接続され、前記電源及び処理回路３００の警告のトリガまたは停止に関連する電気信号の駆動を受ける。関連する詳細な構造について、本技術分野における通常知識を有する者であれば明確に理解することができるため、詳細な説明は省略する。
【００３１】
例えば、前記電気制御スイッチ６０２は常閉（normally close）スイッチであってもよいので、前記電源及び処理回路３００により前記静電漏洩回路が正常ではない抵抗値を有することが検出された場合（例えば、３５ＭΩより大きい）、関連する音、光、或いはメッセージによる警告がトリガされるほか、トリガ信号は前記電気制御スイッチ６０２の駆動にも用いられることにより、前記給電インタフェース６０１と商用電源との接続が切断される。これにより、関連する作業場の設備が停止されて静電気による損害を被る危険性が回避される。前記電源及び処理回路３００により前記静電漏洩回路が正常な抵抗値に回復したことが検出された場合（例えば、３５ＭΩより小さい）、前述の音、光、或いはメッセージによる警告が停止され、停止信号は前記電気制御スイッチ６０２の駆動にも用いられることにより、前記給電インタフェース６０１と商用電源との接続を回復させる。これにより、関連する作業場の設備の運転を継続させる。
【００３２】
本実施形態に係る接地検出装置５０４は従来の帯電防止リストストラップと組み合わせて使用される。本発明の他の実施形態は、従来の接地検出装置１００に前述の給電インタフェース６０１及び電気制御スイッチ６０２が組み合わせるものである（すなわち、接地検出装置５０４の抵抗器５０２が省略される）。前記接地検出装置は本発明に係る帯電防止リストストラップと組み合わせて使用する必要があるが、その動作原理と精神等に違いはない。
【００３３】
以上、本発明の実施形態について図面を参照して詳述したが、具体的な構成はこの実施形態に限られるものではなく、本発明の要旨を逸脱しない範囲の設計変更等も含まれる。
【符号の説明】
【００３４】
１０  フロアマット
２０  テーブルマット
３０  帯電防止リストストラップ
３１  導線
３２  導線
３３  導電性シート
４０  共通グラウンド
５０  アースグラウンド
６０  商用電源グラウンド
７０  皮膚
１００  接地検出装置
１１０  帯電防止リストストラップインターフェイス
２００  帯電防止リストストラップ
２０１  導線
２０２  導線
２０３  導電性シート
２０４  プラグ
２０５  抵抗器
３００  電源及び処理回路
５００  接地検出装置
５０１  接地検出装置
５０２  抵抗器
５０３  抵抗器
５０４  接地検出装置
６０１  給電インタフェース
６０２  電気制御スイッチ
Ｘ  抵抗値
Ｒ  抵抗値
【図１ａ】
2018186081.tif 000003
【図１ｂ】
2018186081.tif 000004
【図１ｃ】
2018186081.tif 000005
【図２ａ】
2018186081.tif 000006
【図２ｂ】
2018186081.tif 000007
【図３ａ】
2018186081.tif 000008
【図３ｂ】
2018186081.tif 000009
【図３ｃ】
2018186081.tif 000010